(57)【要約】【課題】画像のぼやけを低減し、光の方向依存性を少なくすることで、視認性を向上させることができる液晶表示装置、これを備えた電子機器を提供すること。【解決手段】表示面と交差する所定の方向を主視角方向ＡＸ２とする半透過型液晶表示装置１であって、反射電極と、反射電極が設けられる第１基板と、反射電極と対向する透明電極と、透明電極が設けられる第２基板と、第１基板と第２基板との間に設けられる液晶層と、第２基板を挟んで第１基板の反対側に設けられる偏光板と、第２基板と偏光板との間に設けられる異方性散乱部材２７と、を備え、異方性散乱部材２７は、散乱中心軸Ｓを有し、散乱中心軸Ｓを含む所定の角度範囲をもった方向である散乱軸方向ＡＸ１に沿って透過する光を散乱させ、散乱軸方向ＡＸ１と主視角方向ＡＸ２とは、同じ方向となっている。【選択図】図１２
2014178454.tif 000002
【特許請求の範囲】
【請求項１】
表示面と交差する所定の方向を主視角方向とする液晶表示装置であって、
反射電極と、
前記反射電極が設けられる第１基板と、
前記反射電極と対向する透明電極と、
前記透明電極が設けられる第２基板と、
前記第１基板と前記第２基板との間に設けられる液晶層と、
前記第２基板を挟んで前記第１基板の反対側に設けられる偏光板と、
前記第２基板と前記偏光板との間に設けられる異方性散乱部材と、を備え、
前記異方性散乱部材は、散乱中心軸を有し、前記散乱中心軸を含む所定の角度範囲をもった方向である散乱軸方向に沿って透過する光を散乱させ、
前記散乱軸方向と前記主視角方向とは、同じ方向となっていることを特徴とする液晶表示装置。
【請求項２】
前記所定の角度範囲は、前記散乱中心軸に対する傾斜角が２０度以内の角度範囲であることを特徴とする請求項１に記載の液晶表示装置。
【請求項３】
前記第１基板を挟んで前記第２基板の反対側に設けられ、前記第１基板へ向かってバックライト光を照射するバックライト部を、さらに備え、
前記バックライト部は、前記第１基板に対向する導光板と、前記導光板の側方から前記バックライト光を照射する光源部とを有し、
前記光源部から照射された前記導光板内を進む前記バックライト光の進行方向と、前記散乱軸方向とは、前記第１基板と前記導光板とが対向する方向から見て、同じ方向となっていることを特徴とする請求項１または２に記載の液晶表示装置。
【請求項４】
前記バックライト部は、前記第１基板へ向かって照射される前記バックライト光を集光し、集光した前記バックライト光の照射方向を、前記表示面の法線方向に対して傾斜する前記散乱軸方向と同じ側に傾斜させることを特徴とする請求項３に記載の液晶表示装置。
【請求項５】
前記第１基板を挟んで前記第２基板の反対側に設けられ、前記第１基板へ向かってバックライト光を照射するバックライト部を、さらに備え、
前記バックライト部は、前記第１基板へ向かって照射される前記バックライト光を集光し、集光した前記バックライト光の照射方向を、前記表示面の法線方向に対して傾斜する前記散乱軸方向と同じ側に傾斜させることを特徴とする請求項１または２に記載の液晶表示装置。
【請求項６】
請求項１から５いずれか１項に記載の液晶表示装置を備えた電子機器。
【発明の詳細な説明】
【技術分野】
【０００１】
本開示は、液晶表示装置、これを備えた電子機器に関する。
【０００２】
表示装置には、画面背面のバックライト光による透過光を利用して表示を行う透過型表示装置の他に、外光による反射光を利用して表示を行う反射型表示装置がある。反射型表示装置は、消費電力が少なく、明るい環境下でも画面が見易いという特徴を持っている。また、透過型表示装置と反射型表示装置との特徴を併せ持つ表示装置として、半透過型液晶表示装置がある。半透過型液晶表示装置は、暗い環境下ではバックライト光による透過光を用いて表示し、明るい環境下では外光による反射光を用いて表示する。
【０００３】
表示装置には、画像の照度を向上させるために光の反射率を上げることができるＬＣＦ（拡散フィルム：Light Control Film）等の異方性散乱フィルムを、表示デバイスの観察面側に配置するものがある（特許文献１、２、３参照）。異方性散乱フィルムは、散乱中心軸を有し、散乱中心軸は、表示デバイスの観察面の法線方向から一定の角度傾斜させた方向となっている。散乱中心軸に沿って異方性散乱フィルムを透過する光は、散乱光となる。この散乱中心軸は、表示デバイスの視野角特性（視角依存性）を改善するために、表示デバイスのコントラスト比が最大となる方位とほぼ一致する方位となっている。
【０００４】
また、表示装置には、画面背面に設けられるバックライト部として、直下方式のバックライト部がある（特許文献４参照）。このバックライト部は、光拡散板と棒状光源との間に、異方性光拡散粘着層が設けられており、光拡散板の照射面からの光を均一にすべく、異方性光拡散粘着層に含まれる針状フィラーの長軸方向と、棒状光源の管軸方向とを、略同一の方向としている。
【先行技術文献】
【特許文献】
【０００５】
【特許文献１】特開２００７−２４９１８２号公報
【特許文献２】特開２００７−２４９１８１号公報
【特許文献３】特開２００７−１１４７５６号公報
【特許文献４】特開２００８−５２１３２号公報
【発明の概要】
【発明が解決しようとする課題】
【０００６】
外光による反射光を利用して表示を行う反射型表示装置または半透過型表示装置において、反射光が出射する出射面上に、異方性散乱フィルム等の異方性散乱部材を配置する場合、出射面から出射した反射光は、異方性散乱部材を透過する。この場合、出射面と異方性散乱部材との間が離れていると、反射光の光路が長くなることから、反射光が面内において広がり、画像がぼやける可能性がある。また、出射面から出射した反射光の出射方向が、異方性散乱部材の散乱中心軸と大きく交差する場合、異方性散乱部材の特性によって、反射光が散乱せずに出射するため、反射光の方向依存性が大きくなってしまう。
【０００７】
そこで、本開示は、画像のぼやけを低減し、光の方向依存性を少なくすることで、視認性を向上させることができる液晶表示装置、これを備えた電子機器を提供することを目的とする。
【課題を解決するための手段】
【０００８】
上記の目的を達成するために、本開示は、表示面と交差する所定の方向を主視角方向とする液晶表示装置であって、反射電極と、前記反射電極が設けられる第１基板と、前記反射電極と対向する透明電極と、前記透明電極が設けられる第２基板と、前記第１基板と前記第２基板との間に設けられる液晶層と、前記第２基板を挟んで前記第１基板の反対側に設けられる偏光板と、前記第２基板と前記偏光板との間に設けられる異方性散乱部材と、を備え、前記異方性散乱部材は、散乱中心軸を有し、前記散乱中心軸を含む所定の角度範囲をもった方向である散乱軸方向に沿って透過する光を散乱させ、前記散乱軸方向と前記主視角方向とは、同じ方向となっていることを特徴とする液晶表示装置及びこれを備えた電子機器である。
【０００９】
上記構成の液晶表示装置、当該液晶表示装置を有する電子機器において、第２基板と偏光板との間に異方性散乱部材を設けることができる。このため、第２基板と異方性散乱部材との間に偏光板を設けることがない分、第２基板と異方性散乱部材との間を近づけることができる。よって、第２基板から出射される光を、異方性散乱部材にすぐに入射させることができるため、第２基板から出射される光が表示面内において広がり難くなることから、表示面に表示される画像のぼやけを低減することができる。また、散乱軸方向と主視角方向とを同じ方向とすることができる。このため、異方性散乱部材は、主視角方向に向かって異方性散乱部材に入射する光を、散乱させることができる。よって、異方性散乱部材は、散乱せずに所定の方向に出射する光を軽減できることから、異方性散乱部材から出射する光の方向依存性を少なくすることができる。これにより、画像のぼやけを低減でき、光の方向依存性を少なくできることから、視認性の向上を図ることができる。
【発明の効果】
【００１０】
本開示によれば、第２基板と偏光板との間に設けられる異方性散乱部材の散乱軸方向と、主視角方向とを同じ方向とすることで、画像のぼやけを低減でき、光の方向依存性を少なくできることから、視認性の向上を図ることができる。
【図面の簡単な説明】
【００１１】
【図１】図１は、本開示が適用される半透過型液晶表示装置の構成の概略を、一部を切り欠いた状態で示す斜視図である。
【図２Ａ】図２Ａは、基本的な画素回路を示す回路図である。
【図２Ｂ】図２Ｂは、カラー表示における画素の模式図である。
【図２Ｃ】図２Ｃは、モノクロ表示における画素の模式図である。
【図３】図３は、半透過型液晶表示装置の画素部の平面図である。
【図４】図４は、ＭＩＰ方式を採用した画素の回路構成の一例を示すブロック図である。
【図５】図５は、ＭＩＰ方式を採用した画素の動作説明に供するタイミングチャートである。
【図６】図６は、半透過型液晶表示装置の行方向において隣接する２つの画素の断面構造を示す断面図である。
【図７Ａ】図７Ａは、表面から外光が入射する異方性散乱部材の断面図である。
【図７Ｂ】図７Ｂは、背面から入射光が入射する異方性散乱部材の断面図である。
【図８】図８は、異方性散乱部材の一例を示す平面図である。
【図９】図９は、異方性散乱部材の機能を説明するための模式図である。
【図１０】図１０は、異方性散乱部材の一例を示す平面図である。
【図１１】図１１は、異方性散乱部材の機能を説明するための模式図である。
【図１２】図１２は、異方性散乱部材の散乱軸方向と、液晶パネルの主視角方向との関係を示す模式図である。
【図１３】図１３は、異方性散乱部材の散乱軸方向、液晶パネルの主視角方向及び導光板内のバックライト光の進行方向との関係を示す模式図である。
【図１４】図１４は、異方性散乱部材の散乱軸方向、液晶パネルの主視角方向及びバックライト光の照射方向との関係を示す模式図である。
【図１５Ａ】図１５Ａは、半透過型液晶表示装置のＣＦ基板側における光学設計の一例を示す模式図である。
【図１５Ｂ】図１５Ｂは、半透過型液晶表示装置のＴＦＴ基板側における光学設計の一例を示す模式図である。
【図１６Ａ】図１６Ａは、本開示が適用されるデジタルカメラの外観を示す斜視図である。
【図１６Ｂ】図１６Ｂは、本開示が適用されるデジタルカメラの外観を示す斜視図である。
【図１７】図１７は、本開示が適用されるビデオカメラの外観を示す斜視図である。
【図１８】図１８は、本開示が適用されるノート型パーソナルコンピュータの外観を示す斜視図である。
【図１９Ａ】図１９Ａは、本開示が適用される携帯電話機を示す、開いた状態の正面図である。
【図１９Ｂ】図１９Ｂは、本開示が適用される携帯電話機を示す側面図である。
【図１９Ｃ】図１９Ｃは、本開示が適用される携帯電話機を示す、閉じた状態の正面図である。
【図１９Ｄ】図１９Ｄは、本開示が適用される携帯電話機を示す左側面図である。
【図１９Ｅ】図１９Ｅは、本開示が適用される携帯電話機を示す右側面図である。
【図１９Ｆ】図１９Ｆは、本開示が適用される携帯電話機を示す上面図である。
【図１９Ｇ】図１９Ｇは、本開示が適用される携帯電話機を示す下面図である。
【発明を実施するための形態】
【００１２】
以下、本開示の技術を実施するための形態（以下、「実施形態」と記述する）について図面を用いて、次に示す手順で詳細に説明する。
１．本開示が適用される半透過型液晶表示装置
１−１．カラー表示対応の半透過型液晶表示装置
１−２．基本的な画素回路
１−３．画素及び副画素
１−４．画素部の電極構造
１−５．液晶表示パネルの駆動方式
１−６．異方性散乱部材
１−７．バックライト部
２．電子機器
３．本開示の構成
【００１３】
＜１．本開示が適用される半透過型液晶表示装置＞
本開示の技術は、フラットパネル型（平面型）の表示装置に適用することができる。フラットパネル型の表示装置としては、液晶表示（ＬＣＤ：Liquid Crystal Display）パネルを用いた表示装置、エレクトロルミネッセンス（ＥＬ：Electro Luminescence）表示パネルを用いた表示装置、プラズマ表示（ＰＤ：Plasma Display）パネルを用いた表示装置等を例示することができる。
【００１４】
これらフラットパネル型の表示装置は、表示の形態で分類すると、透過型と反射型に分類することができる。本開示の技術は、反射型表示装置と、透過型表示装置及び反射型表示装置の特徴を併せ持つ半透過型液晶表示装置とに適用することができる。すなわち、本開示の技術は、反射電極で光を反射して表示を行う液晶表示装置であればよく、以下の説明では、明るい環境下でも、暗い環境下でも画面が見やすく、しかも、消費電力が少ない半透過型液晶表示装置に適用して説明する。これらの特徴を持つ反射型液晶表示装置及び半透過型液晶表示装置は、電子機器、中でも、屋外での使用頻度が高い携帯型の電子機器、すなわち、携帯端末機器、例えば、デジタルカメラ等の携帯情報機器又は携帯電話機等の携帯通信機器の表示部として用いて好適なものである。
【００１５】
本開示が適用される半透過型液晶表示装置は、モノクロ表示対応の表示装置であってもよいし、カラー表示対応の表示装置であってもよい。カラー表示対応の場合、カラー画像を形成する単位となる１個の画素（単位画素）は、複数の副画素（サブピクセル）を含むことになる。より具体的には、カラー表示対応の表示装置では、単位画素は、例えば、赤色（Ｒｅｄ：Ｒ）を表示する副画素、緑色（Ｇｒｅｅｎ：Ｇ）を表示する副画素、青色（Ｂｌｕｅ：Ｂ）を表示する副画素の３つの副画素を含む。
【００１６】
ただし、１つの画素としては、ＲＧＢの３原色の副画素を組み合わせたものに限られるものではない。例えば、ＲＧＢの３原色の副画素に、さらに１色又は複数色の副画素を加えて単位画素とすることも可能である。より具体的には、例えば、輝度向上のために白色（Ｗｈｉｔｅ：Ｗ）を表示する副画素を加えて単位画素としたり、色再現範囲を拡大するために補色を表示する少なくとも１個の副画素を加えて単位画素としたりすることも可能である。
【００１７】
［１−１．カラー表示対応の半透過型液晶表示装置］
以下、本開示が適用される半透過型液晶表示装置として、カラー表示対応の半透過型液晶表示装置を例に挙げて図面を参照しつつ説明する。
【００１８】
図１は、本開示が適用されるカラー表示対応の半透過型液晶表示装置の構成の概略を、一部を切り欠いた状態で示す斜視図である。
【００１９】
図１に示すように、本開示が適用される半透過型液晶表示装置１は、第１パネル部１０、第２パネル部２０、液晶層３０及びバックライト部４０を主な構成要素として有する。半透過型液晶表示装置１は、第２パネル部２０の表面側が表示面側となる。第１パネル部１０と第２パネル部２０とは、所定の空隙を持って対向配置されている。そして、第１パネル部１０と第２パネル部２０との空隙内に液晶材料が封止されることによって液晶層３０が形成されている。
【００２０】
第１パネル部１０は、液晶層３０と反対側、すなわち、バックライト部４０側から順に、偏光板１１、１／２波長板１２、１／４波長板１３、透明なガラス等を基板材料とする第１基板１４及び平坦化膜１５が設けられている。
【００２１】
この第１パネル部１０において、第１基板１４上には、ともに図示しない複数の信号線と複数の走査線とが交差するように形成されている。そして、複数の信号線と複数の走査線とが交差する部位には、副画素（以下、単に「画素」と記述する場合もある）５０が行列状に２次元配置されている。
【００２２】
第１基板１４上には、さらに、ＴＦＴ（Thin Film Transistor：薄膜トランジスタ）等のスイッチング素子及び容量素子等の回路素子が画素５０毎に形成されている。これらの回路素子、信号線及び走査線の表面に平坦化膜１５が形成されることによって第１パネル部１０の表面の平坦化が図られている。そして、平坦化膜１５の上に、後述する反射電極が画素５０毎に形成されることになる。第１基板１４は、ＴＦＴを含む回路素子が形成されることからＴＦＴ基板と呼ばれる場合がある。
【００２３】
複数の信号線は、画素５０を駆動する信号（表示信号／映像信号）を伝送するための配線であり、画素５０の行列状の配置に対して画素列毎に、当該画素列の画素の配列方向、すなわち、列方向（図１のＹ方向）に沿って延在する配線構造となっている。複数の走査線は、画素５０を行単位で選択する信号（走査信号）を伝送するための配線であり、画素５０の行列状の配置に対して画素行毎に、当該画素行の画素の配列方向、すなわち、行方向（図１のＸ方向）に沿って延在する配線構造となっている。Ｘ方向とＹ方向とは、互いに直交する。
【００２４】
第２パネル部２０は、液晶層３０側から順に、ＩＴＯ（Indium Tin Oxide：インジウム錫酸化物）等で形成された透明電極２１、カラーフィルタ２２、透明なガラス等を基板材料とする第２基板２３、１／４波長板２４、１／２波長板２５及び偏光板２６が設けられている。また、第２パネル部２０の第２基板２３と１／４波長板２４との間には、異方性散乱部材２７が設けられている。
【００２５】
この第２パネル部２０において、カラーフィルタ２２は、例えば、列方向（Ｙ方向）に伸びるストライプ状のＲ（赤色）Ｇ（緑色）Ｂ（青色）の各フィルタが、画素５０の行方向（Ｘ方向）のピッチと同じピッチで繰り返し配列された構成となっている。第２基板２３は、カラーフィルタ（ＣＦ：Color Filter）２２を含んでいることからＣＦ基板と呼ばれる場合がある。
【００２６】
上述した、第１パネル部１０、当該第１パネル部１０と対向配置された第２パネル部２０及び第１パネル部１０と第２パネル部２０との間に配置された液晶層３０によって半透過型の液晶表示パネルが構成されており、第２パネル部２０の上面（表面）が表示面となっている。
【００２７】
バックライト部４０は、液晶表示パネルを当該液晶表示パネルの背面側、すなわち、第１パネル部１０の液晶層３０とは反対側から照明する照明部である。このバックライト部４０は、その構造及び構成要素を特に限定するものではないが、例えば、ＬＥＤ（Light Emitting Diode）又は蛍光管などの光源と、プリズムシート、拡散シート及び導光板等の周知の部材を用いることができる。なお、詳細は後述するが、本開示の半透過型液晶表示装置１に適用されるバックライト部４０は、いわゆるエッジライト方式のものが適用されている。
【００２８】
上記構成の半透過型液晶表示装置１において、画素５０は、当該画素５０毎に反射表示領域（反射表示部）と透過表示領域（透過表示部）とを有している。反射表示領域は、上述したように、平坦化膜１５の表面に、画素５０毎に形成される反射電極を有し、第２パネル部２０を透過して外部から入射した外光を当該反射電極によって反射し、その反射光によって表示する。この画素５０毎に設けられる透過表示領域の詳細については後述する。
【００２９】
［１−２．基本的な画素回路］
次に、画素５０の基本的な画素回路について、図２Ａを用いて説明する。図２ＡにＸで示す方向（Ｘ方向）は、図１に示す半透過型液晶表示装置１の行方向を示し、Ｙで示す方向（Ｙ方向）は列方向を示す。
【００３０】
図２Ａに示すように、複数の信号線６１（６１１、６１２、６１３、・・・）と、複数の走査線６２（６２１、６２２、６２３、・・・）とが交差するように配線され、その交差部に画素５０が配されている。複数の走査線６２（６２１、６２２、６２３、・・・）が延在する方向は行方向（Ｘ方向）であり、複数の信号線６１（６１１、６１２、６１３、・・・）が延在する方向は列方向（Ｙ方向）である。先述したように、複数の信号線６１と複数の走査線６２とは、第１パネル部１０の第１基板（ＴＦＴ基板）１４の表面に形成されている。そして、信号線６１（６１１、６１２、６１３、・・・）の各一端は、信号出力回路７０の各列に対応した出力端に接続され、複数の走査線６２（６２１、６２２、６２３、・・・）の各一端は、走査回路８０の各行に対応した出力端に接続されている。
【００３１】
画素５０は、例えば、薄膜トランジスタ（ＴＦＴ）を用いた画素トランジスタ５１と液晶容量５２と保持容量５３とを有する構成となっている。画素トランジスタ５１は、ゲート電極が走査線６２（６２１、６２２、６２３、・・・）に接続され、ソース電極が信号線６１（６１１、６１２、６１３、・・・）に接続されている。
【００３２】
液晶容量５２は、画素電極と、これに対向して形成される対向電極（図１の透明電極２１に相当）との間で発生する液晶材料の容量成分を意味し、画素電極が画素トランジスタ５１のドレイン電極に接続されている。画素電極は、カラー表示の場合は副画素毎に形成される反射電極に相当し、モノクロ表示の場合は画素毎に形成される反射電極に相当する。液晶容量５２の対向電極には、直流電圧のコモン電位ＶＣＯＭが全画素共通に印加される。保持容量５３は、一方の電極が液晶容量５２の画素電極に、他方の電極が液晶容量５２の対向電極にそれぞれ接続されている。
【００３３】
上記の画素回路から明らかなように、複数の信号線６１（６１１、６１２、６１３、・・・）は、画素５０を駆動する信号、すなわち、信号出力回路７０から出力される映像信号を画素列毎に画素５０に伝送する配線である。また、複数の走査線６２（６２１、６２２、６２３、・・・）は、画素５０を行単位で選択する信号、すなわち、走査回路８０から出力される走査信号を画素行毎に伝送する配線である。
【００３４】
［１−３．画素及び副画素］
半透過型液晶表示装置１がカラー表示に対応する場合、図２Ｂに示すように、カラー画像を形成する単位となる１個の画素、すなわち単位画素５は、例えば、複数の副画素（サブピクセル）５０を含む。この例では、単位画素５は、Ｒを表示する副画素５０Ｒと、Ｂを表示する副画素５０Ｂと、Ｇを表示する副画素５０Ｇとを含む。単位画素５が有する副画素５０Ｒ、５０Ｂ、５０Ｇは、Ｘ方向、すなわち半透過型液晶表示装置１の行方向に向かって配列される。上述したように、単位画素５は、さらに１色又は複数色の副画素を有していてもよい。半透過型液晶表示装置１がモノクロ表示のみに対応する場合、図２Ｃに示すように、モノクロ画像を形成する単位となる１個の画素、すなわち単位画素５Ｍは、画素５０（カラー画像における副画素５０に相当）となる。単位画素５はカラー画像を表示するための基本単位であり、単位画素５Ｍは、モノクロ画像を表示するための基本単位である。
【００３５】
［１−４．画素部の電極構造］
透過表示領域について説明する前に、画素５０の電極構造について説明する。
【００３６】
図３は、画素部の電極構造の説明に供する図である。図３は、半透過型液晶表示装置の画素部の平面図である。図３において、反射電極６３については、網掛けを付して示している。
【００３７】
図３に示すように、半透過型液晶表示装置１の画素部は、画素５０が行列状に配置され、当該行列状の配置に対して信号線６１が列方向に沿って延在する画素５０間の空間位置に配線され、走査線６２が行方向に沿って延在する画素５０間の空間位置に配線された構成となっている。先述したように、信号線６１と走査線６２とは、図１において、第１パネル部１０の第１基板１４上に互いに交差するように配線されている。
【００３８】
このような構成の画素部（画素アレイ部）において、図３に示す半透過型液晶表示装置１にあっては、１つの画素５０内に、アルミニウム等の金属で形成された反射電極６３と共に開口部６４を形成し、当該開口部６４を透過表示領域として用いる。このように、透過表示領域を確保するために、画素５０内に開口部６４を形成すると、当該開口部６４の面積の分だけ反射電極６３、すなわち、反射表示領域を小さくせざるを得ない。このため、半透過型液晶表示装置１は、反射表示性能が、反射型液晶表示装置のそれに比べて低下する。すなわち、透過表示領域を確保することと、反射表示性能を保つこととはトレードオフの関係にある。また、本実施形態では、反射電極６３に開口部６４を設けたが信号線６１及び走査線６２を、反射電極６３と反射電極６３との間の隙間からずれた位置に配置、つまり反射電極６３の背面に配置し、反射電極６３と反射電極６３との間の隙間を開口としてもよい。
【００３９】
［１−５．液晶表示パネルの駆動方式］
液晶表示パネル（液晶表示装置）においては、液晶に同極性の直流電圧が印加され続けることによって液晶の比抵抗（物質固有の抵抗値）等が劣化するのを抑制するために、コモン電位ＶＣＯＭを基準として映像信号の極性を所定の周期で反転させる駆動方式が採られる。
【００４０】
このような液晶表示パネルの駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全画素に書き込む映像信号を一度に同じ極性で反転させる駆動方式である。
【００４１】
半透過型液晶表示装置１は、フレーム反転の駆動方式を用いる場合、１フレーム期間にわたって同じ極性の信号電圧を信号線６１に書き込むことになるために、シェーディングが発生する可能性がある。そこで、半透過型液晶表示装置１においては、フレーム反転の駆動方式を用いるにあたって、画素５０としてメモリ機能を有する画素、例えば、画素毎にデータを記憶可能なメモリを持つ、いわゆるＭＩＰ（Memory In Pixel）方式を採用することとする。ＭＩＰ方式の場合、画素５０には常に一定電圧が印加されることになるために、シェーディングを低減させることができる。
【００４２】
また、ＭＩＰ方式は、データを記憶するメモリを画素内に持つことにより、アナログ表示モードによる表示と、メモリ表示モードによる表示とを実現できる。アナログ表示モードとは、画素の階調をアナログ的に表示する表示モードである。メモリ表示モードとは、画素内のメモリに記憶されている２値情報（論理“１”／論理“０”）に基づいて、画素の階調をデジタル的に表示する表示モードである。
【００４３】
メモリ表示モードの場合、メモリに保持されている情報を用いるため、階調を反映した信号電位の書き込み動作をフレーム周期で実行する必要がない。そのため、メモリ表示モードの場合は、階調を反映した信号電位の書き込み動作をフレーム周期で実行する必要があるアナログ表示モードの場合に比べて消費電力が少なくて済む。換言すれば、半透過型液晶表示装置１の消費電力を低減することができる。
【００４４】
図４は、ＭＩＰ方式を採用した画素の回路構成の一例を示すブロック図であり、図中、図２Ａと同等の部位には同一の符号を付して示している。また、図５に、ＭＩＰ方式を採用した画素の動作説明に供するタイミングチャートを示す。
【００４５】
図４に示すように、画素５０は、液晶容量（液晶セル）５２に加えて、３つのスイッチ素子５４、５５、５６及びラッチ部５７を有する駆動回路部５８を備える。駆動回路部５８は、ＳＲＡＭ（Static Random Access Memory）機能を備えている。駆動回路部５８を備える画素５０は、ＳＲＡＭ機能付きの画素構成となっている。液晶容量（液晶セル）５２とは、画素電極（例えば、図３の反射電極６３）とこれに対向して配される対向電極との間で発生する液晶容量を意味している。
【００４６】
スイッチ素子５４は、信号線６１（図２Ａの信号線６１１〜６１３に相当）に一端が接続されている。スイッチ素子５４は、図２Ａの走査回路８０から走査信号φＶが与えられることによってオン（閉）状態となり、図２Ａの信号出力回路７０から信号線６１を介して供給されるデータＳＩＧを取り込む。ラッチ部５７は、互いに逆向きに並列接続されたインバータ５７１、５７２を有しており、スイッチ素子５４によって取り込まれたデータＳＩＧに応じた電位を保持（ラッチ）する。
【００４７】
スイッチ素子５５、５６の各一方の端子には、コモン電位ＶＣＯＭとは逆相の制御パルスＸＦＲＰ及び同相の制御パルスＦＲＰが与えられる。スイッチ素子５５、５６の各他方の端子は共通に接続され、その共通接続ノードが、本画素回路の出力ノードＮｏｕｔとなる。スイッチ素子５５、５６は、ラッチ部５７の保持電位の極性に応じていずれか一方がオン状態となる。これにより、対向電極（図１の透明電極２１）にコモン電位ＶＣＯＭが印加されている液晶容量５２に対して、制御パルスＦＲＰ又は制御パルスＸＦＲＰが画素電極（例えば、図３の反射電極６３）に印加される。
【００４８】
図５から明らかなように、本例の場合、ラッチ部５７の保持電位が負側極性のときは、液晶容量５２の画素電位がコモン電位ＶＣＯＭと同相になるため黒表示となり、ラッチ部５７の保持電位が正側極性の場合は、液晶容量５２の画素電位がコモン電位ＶＣＯＭと逆相になるため白表示となる。
【００４９】
上述したことから明らかなように、ＭＩＰの画素５０は、ラッチ部５７の保持電位の極性に応じてスイッチ素子５５、５６のいずれか一方がオン状態となることで、液晶容量５２の画素電極（例えば、図３の反射電極６３）に対して、制御パルスＦＲＰ又は制御パルスＸＦＲＰが印加される。その結果、画素５０には常に一定の電圧が印加されることになるので、シェーディングの発生が抑制される。
【００５０】
なお、本例では、画素５０が内蔵するメモリとしてＳＲＡＭを用いる場合を例に挙げて説明したが、ＳＲＡＭは一例に過ぎず、他のメモリ、例えばＤＲＡＭ（Dynamic Random Access Memory）を用いる構成を採るようにしてもよい。
【００５１】
本実施形態において、ＭＩＰ方式を採用するにあたっては、面積階調法、時分割階調法等を用いることができる。時分割階調法の場合、静止画であっても時間によって画素電位が異なり、画素内及び画素間の液晶分子が動いてしまう。したがって、時分割階調法を用いるよりも面積階調法を用いる方が好ましい。また、面積階調法の場合には、画素電極、すなわち、反射電極６３を分割することから、電極間の隙間が多くなるために、パネルの透過率としては分割しない場合よりも高くなる利点がある。
【００５２】
また、上記の例では、メモリ機能を有する画素として、画素毎にデータを記憶可能なメモリを持つＭＩＰの画素を用いるとしたが、これは一例に過ぎない。メモリ機能を有する画素としては、ＭＩＰの画素の他に、例えば、周知のメモリ性液晶を用いる画素を例示することができる。
【００５３】
液晶の表示モードには、電界（電圧）無印加時に白表示、電界印加時に黒表示になるノーマリーホワイトモードと、電界無印加時に黒表示、電界印加時に白表示になるノーマリーブラックモードとがある。この両モードは液晶セルの構造は同じであり、図１の偏光板１１、２６の配置が異なる。本実施形態の半透過型液晶表示装置１は、電界（電圧）無印加時に黒表示、電界印加時に白表示になるノーマリーブラックモードで駆動される。
【００５４】
［１−６．異方性散乱部材］
図６は、半透過型液晶表示装置の行方向（Ｘ方向）において隣接する２つの画素の断面構造を示す断面図であり、図中、図１と同等部位には同一符号を付して示している。図７Ａは、表面から外光が入射する異方性散乱部材の断面図である。図７Ｂは、背面から入射光が入射する異方性散乱部材の断面図である。図８は、異方性散乱部材の一例を示す平面図である。図９は、異方性散乱部材の機能を説明するための模式図である。図１０は、異方性散乱部材の一例を示す平面図である。図１１は、異方性散乱部材の機能を説明するための模式図である。
【００５５】
図６に示すように、半透過型液晶表示装置１は、液晶分子３１を含む液晶層３０よりも反射電極６３で反射した光の進行方向側に、光を散乱させるシート状の異方性散乱部材２７を有する。より具体的には、半透過型液晶表示装置１は、第２基板２３と１／４波長板２４との間に異方性散乱部材２７を有する。異方性散乱部材２７は、反射電極６３で反射された光を散乱させたり、画素間の空間６５Ａを透過したバックライト光を散乱させたりする非等方又は等方の層である。異方性散乱部材２７としては、例えば、ＬＣＦ（Light Control Film）を用いることができる。
【００５６】
異方性散乱部材２７は、前方散乱が多く後方散乱が少ない前方散乱層である。異方性散乱部材２７は、特定方向（散乱軸方向）から入射した光を散乱する異方性散乱層である。異方性散乱部材２７は、第２基板２３との関係で偏光板２６側の特定方向から光（例えば外光）が入射してきた場合に、その入射した光をほとんど散乱せずに透過させ、反射電極６３で反射され戻ってきた光（反射光）を大きく散乱するようになっている。
【００５７】
異方性散乱部材２７は、図７Ａ及び図７Ｂに示すように、第１領域２７Ｂと、第２領域２７Ｓとを含み、２種類の領域２７Ｂ，２７Ｓは、互いに屈折率が異なっている。異方性散乱部材２７は、図８及び図９に示すように複数の板状の第２領域２７Ｓが第１領域２７Ｂ中に所定間隔で配列されたルーバー構造となっていてもよいし、異方性散乱部材２７ａは、図１０及び図１１に示すように柱状の第２領域２７Ｓａが第１領域２７Ｂａ中に配列された柱状構造となっていてもよい。本実施形態では、第１領域２７Ｂが第２領域２７Ｓよりも屈折率の低い材料で形成されている。つまり、第１領域２７Ｂは、異方性散乱部材２７の中で相対的に屈折率の低い材料で形成され、低屈折率領域となる。また、第２領域２７Ｓは、異方性散乱部材２７の中で相対的に屈折率の高い材料で形成され、高屈折率領域となる。
【００５８】
異方性散乱部材２７は、第１領域（低屈折率領域）２７Ｂと第２領域（高屈折率領域）２７Ｓとの境界付近における屈折率の変化の程度が相対的に大きい面側から光が入射して低屈折率領域２７Ｂと高屈折率領域２７Ｓとの境界付近における屈折率の変化の程度が相対的に小さい面側から光が出射する際に、光が散乱するように配置されている。
【００５９】
異方性散乱部材２７は、例えば、第１領域２７Ｂ及び第２領域２７Ｓが厚さ方向に延在し、かつ所定の方向に傾斜したものである。異方性散乱部材２７は、例えば、屈折率の互いに異なる２種類以上の光重合可能なモノマー又はオリゴマーの混合物である樹脂シートに、紫外線を斜め方向から照射することにより形成されたものである。なお、異方性散乱部材２７は、上記とは異なる構造となっていてもよく、また、上記とは異なる方法で製造されたものであってもよい。異方性散乱部材２７は、１層であってもよいし、複数の層であってもよい。異方性散乱部材２７が複数の層である場合、互いに等しい構造であってもよいし、互いに異なる構造であってもよい。
【００６０】
異方性散乱部材２７は、例えば、図７Ａに示すように、第２基板２３との関係で所定の方向（散乱軸方向）から外光Ｌ１が入射したときにその外光Ｌ１を散乱させ、他の所定の方向（散乱軸方向以外の方向）から外光Ｌ２が入射したときにその外光Ｌ２を透過させる。また、異方性散乱部材２７は、他の所定の方向から外光Ｌ２が入射したときにその外光Ｌ２を透過させ、透過した光のうち反射電極６３で反射された光を、散乱中心軸Ｓを中心として所定の範囲で散乱させるようになっている。外光Ｌ１、Ｌ２は、第２パネル部２０の偏光板２６に入射する平行光である。外光Ｌ１、Ｌ２は、無偏光光であってもよいし、偏光光であってもよい。また、異方性散乱部材２７は、例えば、図７Ｂに示すように、光が外光Ｌ１、Ｌ２とは反対側から入射光Ｌ３、Ｌ４が入射した場合も同様に、第２基板２３との関係で所定の方向（散乱軸方向）から入射した光を散乱させ、他の所定の方向（散乱軸方向以外の方向）から入射した光を透過させる。具体的には、第２基板２３との関係で所定の方向からの入射光Ｌ３が入射したときにその入射光Ｌ３を散乱させ、他の所定の方向からの入射光Ｌ４が入射したときにその入射光Ｌ４を透過させる。なお、外光Ｌ１及び入射光Ｌ４における所定の方向は、向きが１８０度逆になるのみで、同じ方向である。また、外光Ｌ２及び入射光Ｌ３における所定の方向は、向きが１８０度逆になるのみで、同じ方向である。なお、光の散乱は、異方性散乱部材２７の通過中に生じればよく、入射時に散乱しても出射時に散乱しても、経路中で散乱してもよい。
【００６１】
ここで、異方性散乱部材２７が図８に示すルーバー構造である場合、異方性散乱部材２７は、図９に示すように、外光Ｌ１を散乱した散乱光Ｌ１ａが、第１領域２７Ｂ及び第２領域２７Ｓの長辺方向の径ｄ１が短径となり、第１領域２７Ｂ及び第２領域２７Ｓの短辺方向（第１領域２７Ｂ及び第２領域２７Ｓの配列方向）の径ｄ２が長径となる楕円形状となる。なお、異方性散乱部材２７は、反射電極６３から反射した光を散乱させる場合も同様に楕円形状で散乱させる。また、異方性散乱部材２７ａが図１０に示す柱状構造である場合、異方性散乱部材２７ａは、図１１に示すように、外光Ｌ１を散乱した散乱光Ｌ１ａが、径ｄ１ａと径ｄ２ａが同じ径となる円形状となる。なお、異方性散乱部材２７ａは、反射電極６３から反射した光を散乱させる場合も同様に円形状で散乱させる。
【００６２】
図１２は、異方性散乱部材の散乱軸方向と、液晶パネルの主視角方向との関係を示す模式図である。ここで、図１２に示すように、第１パネル部１０から液晶層３０を介して第２パネル部２０の第２基板２３に至るまでの部分を、液晶パネルＰＬとしている。なお、図１２では、異方性散乱部材２７の散乱軸方向ＡＸ１と、液晶パネルＰＬの主視角方向ＡＸ２との関係を分かり易くするために、異方性散乱部材２７と液晶パネルＰＬとの間を離して図示している。
【００６３】
異方性散乱部材２７の散乱中心軸Ｓ（それを中心として、入射する光の異方性散乱特性が略対称性となる軸をいう。換言すれば、最も散乱する光の入射方向に延びる軸である。）は、異方性散乱部材２７の表示側の面の法線方向に対して斜めに傾斜している。また、液晶パネルＰＬは、その表示面（つまり、液晶パネルＰＬと異方性散乱部材２７との境界面）と交差する所定の方向を主視角方向ＡＸ２としており、主視角方向ＡＸ２は、液晶パネルＰＬの表示面に対して斜めに傾斜している。主視角とは、半透過型液晶表示装置１のユーザが半透過型液晶表示装置１を使用する際に映像表示面を眺める方位に対応しており、映像表示面が方形状となっている場合には、映像表示面の一辺のうちユーザに最も近い辺と直交する方位に対応している。
【００６４】
液晶パネルＰＬから異方性散乱部材２７に入射する入射光Ｌ４が、異方性散乱部材２７を透過することで散乱する場合、入射光Ｌ４の入射方向は、散乱軸方向ＡＸ１となっている。つまり、散乱軸方向ＡＸ１に沿って異方性散乱部材２７に入射する入射光Ｌ４は、異方性散乱部材２７を透過することで散乱する。このとき、散乱軸方向ＡＸ１は、散乱中心軸Ｓが延びる方向と、散乱中心軸Ｓに対して所定の角度分だけ傾斜する方向とを含む方向となっている。つまり、散乱軸方向ＡＸ１は、散乱中心軸Ｓを含む所定の角度範囲をもった方向となっている。所定の角度範囲は、散乱中心軸Ｓを中心に、散乱中心軸Ｓに対して±θ度分だけ傾斜する角度範囲となっており、θは、例えば、２０度以内となっている。なお、θは、１５度とすることがより好ましい。このとき、異方性散乱部材２７の散乱軸方向ＡＸ１と、液晶パネルＰＬの主視角方向ＡＸ２とは、液晶パネルＰＬの表示面の法線方向に対し、同じ側に傾斜している。また、異方性散乱部材２７の散乱軸方向ＡＸ１と、液晶パネルＰＬの主視角方向ＡＸ２とは、同じ方向となっている。
【００６５】
以上のように、半透過型液晶表示装置１は、第２基板２３と偏光板２６との間に異方性散乱部材２７を設けることができる。より具体的には、第２基板２３と１／４波長板２４との間に異方性散乱部材２７を設けることができる。このため、第２基板２３と異方性散乱部材２７との間に、偏光板２６、１／４波長板２４及び１／２波長板２５を設けることなく、第２基板２３と異方性散乱部材２７とを隣接して設けることができる。よって、第２基板２３と異方性散乱部材２７とが密接できることから、第２基板２３から出射される光は、異方性散乱部材２７にすぐに入射することができる。これにより、第２基板２３から出射された光は、半透過型液晶表示装置１の表示面内において広がり難くなり、表示面に表示される画像のぼやけを低減することができる。また、半透過型液晶表示装置１は、異方性散乱部材２７の散乱軸方向ＡＸ１と、液晶パネルＰＬの主視角方向ＡＸ２とを同じ方向とすることができる。このため、異方性散乱部材２７は、第２基板２３から主視角方向ＡＸ２に出射して、異方性散乱部材２７に入射する光を散乱させることができる。よって、異方性散乱部材２７は、散乱せずに所定の方向に出射する光を軽減できることから、異方性散乱部材２７から出射する光の方向依存性を少なくすることができる。以上から、本開示の半透過型液晶表示装置１は、画像のぼやけを低減でき、光の方向依存性を少なくできることから、視認性の向上を図ることができる。
【００６６】
［１−７．バックライト部］
次に、図１３及び図１４を参照して、バックライト部４０について説明する。図１３は、異方性散乱部材の散乱軸方向、液晶パネルの主視角方向及び導光板内のバックライト光の進行方向との関係を示す模式図である。図１４は、異方性散乱部材の散乱軸方向、液晶パネルの主視角方向及びバックライト光の照射方向との関係を示す模式図である。図１３の上図は、バックライト部４０をＹ方向から見た側面図であり、図１３の下図は、バックライト部４０をＺ方向から見た平面図である。図１３及び図１４でも、各種方向の関係を分かり易くするために、異方性散乱部材２７と、液晶パネルＰＬと、バックライト部４０との間をそれぞれ離して図示している。
【００６７】
バックライト部４０は、図１３に示すように、エッジライト方式となっており、光源部４１と、光源部４１からの光を導光する導光板４２とを含んでいる。光源部４１は、バックライト光を導光板４２へ向けて照射する。光源部４１は、例えば、ＬＥＤ又は蛍光管等が用いられ、所定の方向に延在して直線状に設けられている。この光源部４１が延在する方向は、導光板４２へ向けて照射した導光板４２内を進むバックライト光の進行方向ＤＸと直交する方向となっている。
【００６８】
導光板４２は、液晶パネルＰＬを挟んで異方性散乱部材２７の反対側（背面側）に設けられ、液晶パネルＰＬに対向して設けられている。導光板４２は、方形の板状に形成され、液晶パネルＰＬと対向する面（表示側の面）がバックライト光を照射する光照射面となっている。また、導光板４２の背面は、反射面となっており、反射面は、背面側に向かうバックライト光を光照射面側へ向かって反射させている。直線状に延在する光源部４１は、方形となる導光板４２の一辺に沿って隣接して設けられている。そして、光源部４１が隣接する導光板４２の一辺の側面が、光源部４１からのバックライト光が入射する光入射面となっている。このため、導光板４２は、光入射面と光照射面とが直交し、光照射面と反射面とが平行となっている。そして、導光板４２は、光源部４１からのバックライト光を、Ｙ方向に延在する光源部４１に対して直交する方向、かつ、光入射面及び反射面と平行な方向であるＸ方向に導く。このとき、導光板４２内を進むバックライト光の進行方向ＤＸと、散乱軸方向ＡＸ１とは、第１基板１４と導光板４２とが対向する方向（Ｚ方向）から見て、同じ方向（Ｘ方向）となっている。このとき、散乱軸方向ＡＸ１は、表示面の法線方向に対し、バックライト部４０の光源部４１側に傾斜していることから、Ｚ方向から見たバックライト光の進行方向ＤＸと散乱軸方向ＡＸ１とは、逆方向となっている。なお、光源部４１は、導光板４２のＸ方向の反対側に設けてもよいし、導光板４２のＸ方向の両側に設けてもよい。
【００６９】
以上のように、半透過型液晶表示装置１は、第１基板１４と導光板４２とが対向する方向から見て、導光板４２内を進むバックライト光の進行方向ＤＸと、散乱軸方向ＡＸ１とを、同じ方向とすることができる。このため、バックライト部４０は、導光板４２の光照射面から出射するバックライト光を、散乱軸方向ＡＸ１に沿った方向に導光することができる。よって、半透過型液晶表示装置１は、散乱軸方向ＡＸ１に向かうバックライト光を多く導くことができるため、散乱するバックライト光の輝度を効率よく向上させることができる。
【００７０】
バックライト部４０は、図１４に示すように、液晶パネルＰＬの第１パネル部１０に向かって照射されるバックライト光を集光する機能を有している。バックライト部４０に集光機能を与える場合は、導光板４２の光照射面に、シート状の光偏向部材を配置することで実現できる。バックライト部４０は、光照射面内の複数の部位においてバックライト光を集光しており、少なくとも導光板４２内におけるバックライト光の進行方向ＤＸに沿って、所定の間隔ごとに集光している。なお、バックライト部４０は、集光したバックライト光の照射方向ＡＸ３を、光照射面の法線方向に対して傾斜させている。このとき、バックライト光の照射方向ＡＸ３と、異方性散乱部材２７の散乱軸方向ＡＸ１及び液晶パネルＰＬの主視角方向ＡＸ２とは、光照射面（表示面）の法線方向に対し、同じ側に傾斜している。また、バックライト光の照射方向ＡＸ３と、散乱軸方向ＡＸ１及び主視角方向ＡＸ２とは、同じ方向となっている。
【００７１】
以上のように、半透過型液晶表示装置１は、バックライト部４０において集光したバックライト光の照射方向ＡＸ３と、異方性散乱部材２７の散乱軸方向ＡＸ１とを、光照射面（表示面）の法線方向に対して同じ側に傾斜させることができる。このため、集光したバックライト光の少なくとも一部は、散乱軸方向ＡＸ１に沿った方向に照射されることから、半透過型液晶表示装置１の表示面において、バックライト光による輝度を向上させることができる。さらに、半透過型液晶表示装置１は、バックライト光の照射方向ＡＸ３と、異方性散乱部材２７の散乱軸方向ＡＸ１とを同じ方向とすることができるため、半透過型液晶表示装置１の表示面において、バックライト光による輝度をより向上させることができる。また、異方性散乱部材２７は、散乱軸方向ＡＸ１に沿った方向に照射され、異方性散乱部材２７の表示側の面から出射するバックライト光を散乱させることができる。これにより、半透過型液晶表示装置１は、バックライト光による輝度を向上させることで、表示面におけるコントラストを向上させることができ、また、バックライト光の方向依存性を少なくすることができることから、視認性の向上をさらに図ることができる。
【００７２】
次に、図１５Ａは、半透過型液晶表示装置のＣＦ基板側における光学設計の一例を示す模式図であり、図１５Ｂは、半透過型液晶表示装置のＴＦＴ基板側における光学設計の一例を示す模式図である。図１５Ａ、図１５Ｂは、第１パネル部１０の構成部材、液晶セル（液晶層３０）及び第２パネル部２０の構成部材の各軸方向が表されている。具体的には、第１パネル部１０側（ＴＦＴ基板側）については、偏光板１１の吸収軸方向、１／２波長板１２の延伸軸方向及び１／４波長板１３の延伸軸方向をそれぞれ表している。また、第２パネル部２０側（ＣＦ基板側）については、液晶セルのＴＦＴ基板側・ＣＦ基板側のラビング方向、異方性散乱部材２７の遅相軸方向、１／４波長板２４の延伸軸方向、１／２波長板２５の延伸軸方向及び偏光板２６の吸収軸方向をそれぞれ表している。
【００７３】
＜２．電子機器＞
以上説明した本開示に係る半透過型液晶表示装置１は、電子機器に入力された映像信号又は電子機器内で生成した映像信号を、画像又は映像として表示するあらゆる分野の電子機器の表示部（表示装置）として用いることが可能である。
【００７４】
本開示に係る半透過型液晶表示装置は、あらゆる分野の電子機器の中でも、屋外での使用頻度が高い携帯端末機器の表示部（表示装置）として用いることが好ましい。携帯端末機器としては、例えば、デジタルカメラ、ビデオカメラ、ＰＤＡ（Personal Digital Assistant）、ゲーム機、ノート型パーソナルコンピュータ、電子書籍等の携帯情報機器や、携帯電話機等の携帯通信機器などを例示することができる。
【００７５】
先述した実施形態の説明から明らかなように、本開示に係る半透過型液晶表示装置は、反射型表示装置と同等の反射表示性能を保った上で透過表示を実現できるために、反射型液晶表示装置の特徴である、消費電力が少なく、明るい環境下でも画面が見易いという特徴を十全に発揮できる。したがって、あらゆる分野の電子機器、中でも、携帯端末機器において、その表示部として本開示に係る半透過型液晶表示装置を用いることで、携帯端末機器の低消費電力化に大きく寄与できる。
【００７６】
以下に、本開示に係る半透過型液晶表示装置１を表示部として用いる電子機器、すなわち、本開示に係る電子機器の具体例について説明する。
【００７７】
図１６Ａは、本開示が適用されるデジタルカメラの外観を示しており、表側から見た斜視図、図１６Ｂは裏側から見た斜視図である。本適用例に係るデジタルカメラは、フラッシュ用の発光部１１１、表示部１１２、メニュースイッチ１１３、シャッターボタン１１４等を含み、その表示部１１２として本開示に係る半透過型液晶表示装置１を用いることにより作製される。
【００７８】
図１７は、本開示が適用されるビデオカメラの外観を示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本開示に係る半透過型液晶表示装置１を用いることにより作製される。
【００７９】
図１８は、本開示が適用されるノート型パーソナルコンピュータの外観を示す斜視図である。本適用例に係るノート型パーソナルコンピュータは、本体１２１に、文字等を入力するときに操作されるキーボード１２２、画像を表示する表示部１２３等を含み、その表示部１２３として本開示に係る半透過型液晶表示装置１を用いることにより作製される。
【００８０】
図１９Ａから図１９Ｇは、本開示が適用される携帯通信機器、例えば携帯電話機を示す外観図である。図１９Ａは開いた状態での正面図、図１９Ｂはその側面図、図１９Ｃは閉じた状態での正面図、図１９Ｄは左側面図、図１９Ｅは右側面図、図１９Ｆは上面図、図１９Ｇは下面図である。
【００８１】
本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含んでいる。そして、ディスプレイ１４４やサブディスプレイ１４５として本開示に係る半透過型液晶表示装置１を用いることにより本適用例に係る携帯電話機が作製される。
【００８２】
＜３．本開示の構成＞
本開示は以下のような構成を採ることができる。
（１）
表示面と交差する所定の方向を主視角方向とする液晶表示装置であって、
反射電極と、
前記反射電極が設けられる第１基板と、
前記反射電極と対向する透明電極と、
前記透明電極が設けられる第２基板と、
前記第１基板と前記第２基板との間に設けられる液晶層と、
前記第２基板を挟んで前記第１基板の反対側に設けられる偏光板と、
前記第２基板と前記偏光板との間に設けられる異方性散乱部材と、を備え、
前記異方性散乱部材は、散乱中心軸を有し、前記散乱中心軸を含む所定の角度範囲をもった方向である散乱軸方向に沿って透過する光を散乱させ、
前記散乱軸方向と前記主視角方向とは、同じ方向となっていることを特徴とする液晶表示装置。
（２）
前記所定の角度範囲は、前記散乱中心軸に対する傾斜角が２０度以内の角度範囲であることを特徴とする（１）に記載の液晶表示装置。
（３）
前記第１基板を挟んで前記第２基板の反対側に設けられ、前記第１基板へ向かってバックライト光を照射するバックライト部を、さらに備え、
前記バックライト部は、前記第１基板に対向する導光板と、前記導光板の側方から前記バックライト光を照射する光源部とを有し、
前記光源部から照射された前記導光板内を進む前記バックライト光の進行方向と、前記散乱軸方向とは、前記第１基板と前記導光板とが対向する方向から見て、同じ方向となっていることを特徴とする（１）または（２）に記載の液晶表示装置。
（４）
前記バックライト部は、前記第１基板へ向かって照射される前記バックライト光を集光し、集光した前記バックライト光の照射方向を、前記表示面の法線方向に対して傾斜する前記散乱軸方向と同じ側に傾斜させることを特徴とする（３）に記載の液晶表示装置。
（５）
前記第１基板を挟んで前記第２基板の反対側に設けられ、前記第１基板へ向かってバックライト光を照射するバックライト部を、さらに備え、
前記バックライト部は、前記第１基板へ向かって照射される前記バックライト光を集光し、集光した前記バックライト光の照射方向を、前記表示面の法線方向に対して傾斜する前記散乱軸方向と同じ側に傾斜させることを特徴とする（１）または（２）に記載の液晶表示装置。
（６）
（１）から（５）いずれか１つに記載の液晶表示装置を備えた電子機器。
【００８３】
以上、本開示について説明したが、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。
【符号の説明】
【００８４】
１  半透過型液晶表示装置
５、５Ｍ  単位画素
１４  第１基板
２１  透明電極
２２  カラーフィルタ
２３  第２基板
２６  偏光板
２７  異方性散乱部材
２７Ｂ、２７Ｂａ  第１領域
２７Ｓ、２７Ｓａ  第２領域
３０  液晶層
４０  バックライト部
４１  光源部
４２  導光板
５０、５０Ｒ、５０Ｇ、５０Ｂ  副画素（画素）
５１  画素トランジスタ
５４、５５、５６  スイッチ素子
５７  ラッチ部
５８  駆動回路部
６３  反射電極
ＰＬ  液晶パネル
ＡＸ１  散乱軸方向
ＡＸ２  主視角方向
ＡＸ３  照射方向
ＤＸ  進行方向
【図１】
2014178454.tif 000003
【図２Ａ】
2014178454.tif 000004
【図２Ｂ】
2014178454.tif 000005
【図２Ｃ】
2014178454.tif 000006
【図３】
2014178454.tif 000007
【図４】
2014178454.tif 000008
【図５】
2014178454.tif 000009
【図６】
2014178454.tif 000010
【図７Ａ】
2014178454.tif 000011
【図７Ｂ】
2014178454.tif 000012
【図８】
2014178454.tif 000013
【図９】
2014178454.tif 000014
【図１０】
2014178454.tif 000015
【図１１】
2014178454.tif 000016
【図１２】
2014178454.tif 000017
【図１３】
2014178454.tif 000018
【図１４】
2014178454.tif 000019
【図１５Ａ】
2014178454.tif 000020
【図１５Ｂ】
2014178454.tif 000021
【図１６Ａ】
2014178454.tif 000022
【図１６Ｂ】
2014178454.tif 000023
【図１７】
2014178454.tif 000024
【図１８】
2014178454.tif 000025
【図１９Ａ】
2014178454.tif 000026
【図１９Ｂ】
2014178454.tif 000027
【図１９Ｃ】
2014178454.tif 000028
【図１９Ｄ】
2014178454.tif 000029
【図１９Ｅ】
2014178454.tif 000030
【図１９Ｆ】
2014178454.tif 000031
【図１９Ｇ】
2014178454.tif 000032